(57)【要約】【課題】出力電圧と出力電流の位相がずれている状況でも、安定した出力電力を出力できる直流交流変換装置を提供する。【解決手段】直流出力電力源から入力される直流電圧を交流電圧に変換して出力する変換部と、出力電圧を計測する電圧計測部８と、出力電流を計測する電流計測部７と、変換部が有するスイッチ素子ＳＷ１、ＳＷ２、ＳＷ３、ＳＷ４を制御する制御部６と、を有し、制御部６は、出力電圧と出力電流とを用いて出力電力を算出し、出力電力を用いて所定時間における電力積算値を求め、電力積算値が所定電力値を超えた場合、目標出力電圧値を下げて出力電圧を低下させる直流交流変換装置である。【選択図】図１
2018182826.tif 000002
【特許請求の範囲】
【請求項１】
直流出力電力源から入力される直流電圧を交流電圧に変換して出力する変換部と、
出力電圧を計測する電圧計測部と、
出力電流を計測する電流計測部と、
前記変換部が有するスイッチ素子を制御する制御部と、を有し、
前記制御部は、
前記出力電圧と前記出力電流とを用いて出力電力を算出し、前記出力電力を用いて所定時間における電力積算値を求め、前記電力積算値が所定電力値を超えた場合、目標出力電圧値を下げて前記出力電圧を低下させる、
ことを特徴とする直流交流変換装置。
【請求項２】
請求項１に記載の直流交流変換装置であって、
前記制御部は、
前記電力積算値が前記所定電力値を超えた場合、目標出力電力値と前記電力積算値との比率に応じて前記目標出力電圧値を下げて前記出力電圧を低下させる、
ことを特徴とする直流交流変換装置。
【請求項３】
請求項２に記載の直流交流変換装置であって、
前記制御部は、
前記比率の平方根である係数と基準出力電圧値とを乗算して前記目標出力電圧値を下げる、
ことを特徴とする直流交流変換装置。
【請求項４】
請求項１から３のいずれか一つに記載の直流交流変換装置であって、
前記変換部は、電圧変換回路、第一のスイッチ回路、第二のスイッチ回路、フィルタ回路を有し、
前記電圧変換回路は、第一のダイオードが並列接続された第一のスイッチ素子、第二のダイオードが並列接続された第二のスイッチ素子、第三のダイオードが並列接続された第三のスイッチ素子、第四のダイオードが並列接続された第四のスイッチ素子、トランスを有し、
前記第一のスイッチ回路は、第五のダイオードが並列接続された第五のスイッチ素子、第六のダイオードが並列接続された第六のスイッチ素子を有し、
前記第二のスイッチ回路は、第七のダイオードが並列接続された第七のスイッチ素子、第八のダイオードが並列接続された第八のスイッチ素子を有し、
前記フィルタ回路は、第一のコイル、第二のコイル、第二のコンデンサを有し、
前記第一のスイッチ素子のコレクタと前記第二のスイッチ素子のコレクタは、前記直流交流変換装置の一方の入力端子と第一のコンデンサの一方の端子と接続され、前記第一のスイッチ素子のエミッタは、前記第三のスイッチ素子のコレクタと前記トランスの一次コイルの一方の端子と接続され、前記第二のスイッチ素子のエミッタは、前記第四のスイッチ素子のコレクタと前記トランスの一次コイルの他方の端子と接続され、前記第三のスイッチ素子のエミッタと前記第四のスイッチ素子のエミッタは、前記直流交流変換装置の他方の入力端子と前記第一のコンデンサの他方の端子と接続され、
前記第五のスイッチ素子のコレクタは、前記トランスの二次コイルの一方の端子と接続され、前記第五のスイッチ素子のエミッタは、前記第七のスイッチ素子のコレクタと前記フィルタ回路の前記第一のコイルの一方の端子と接続され、前記第六のスイッチ素子のコレクタは、前記トランスの二次コイルの他方の端子と接続され、前記第六のスイッチ素子のエミッタは、前記第八のスイッチ素子のコレクタと前記フィルタ回路の前記第二のコイルの一方の端子と接続され、前記第七のスイッチ素子のエミッタと前記第八のスイッチ素子のエミッタとはグランドに接続され、前記第一のコイルの他方の端子は、前記直流交流変換装置の一方の出力端子と前記第二のコンデンサの一方の端子と接続され、前記第二のコイルの他方の端子は、前記直流交流変換装置の他方の出力端子と前記第二のコンデンサの他方の端子と接続される、
ことを特徴とする直流交流変換装置。
【発明の詳細な説明】
【技術分野】
【０００１】
本発明は、直流電圧を交流電圧に変換する直流交流変換装置に関する。
【背景技術】
【０００２】
直流電圧を交流電圧に変換する直流交流変換装置として、例えば、特許文献１及び特許文献２に示される直流交流変換装置が知られている。また、直流交流変換装置は、回路保護のため、直流交流変換装置から出力される交流の出力電流のピーク値が所定出力電流値を超えると、直流交流変換装置から出力される交流の出力電圧を下げる制御をしている。
【先行技術文献】
【特許文献】
【０００３】
【特許文献１】特開２０１３−２１９９８２号公報
【特許文献２】特開２００８−０４８４８３号公報
【発明の概要】
【発明が解決しようとする課題】
【０００４】
しかしながら、直流交流変換装置に接続される機器（負荷）の種類は多様であるため、接続される機器によっては、出力電圧と出力電流の位相がずれる。例えば、直流交流変換装置に掃除機などの機器が接続されていると、機器の有するインダクタンスなどの影響により、出力電圧と出力電流の位相がずれる。このように位相がずれている状況において、直流交流変換装置から出力される交流の出力電流のピーク値が所定出力電流値を超えた場合に、直ちに直流交流変換装置から出力される交流の出力電圧を下げる制御をすると、出力電圧を下げたことにより出力電流も下がるため、直流交流変換装置から機器に出力される出力電力が不足し、機器の動作が不安定になることがある。
【０００５】
本発明の一側面に係る目的は、出力電圧と出力電流の位相がずれている状況でも、安定した出力電力を出力できる直流交流変換装置を提供することである。
【課題を解決するための手段】
【０００６】
本発明に係る一つの形態である直流交流変換装置は、直流出力電力源から入力される直流電圧を交流電圧に変換して出力する変換部と、出力電圧を計測する電圧計測部と、出力電流を計測する電流計測部と、変換部が有するスイッチ素子を制御する制御部と、を有する。
【０００７】
制御部は、出力電圧と出力電流とを用いて出力電力を算出し、出力電力を用いて所定時間における電力積算値を求め、電力積算値が所定電力値を超えた場合、目標出力電圧値を下げて出力電圧を低下させる。
【０００８】
また、制御部は、電力積算値が所定電力値を超えた場合、目標出力電力値と電力積算値との比率に応じて目標出力電圧値を下げて出力電圧を低下させる。
制御部は、比率の平方根である係数と基準出力電圧値とを乗算して目標出力電圧値を下げる。
【０００９】
また、変換部は、電圧変換回路、第一のスイッチ回路、第二のスイッチ回路、フィルタ回路を有する。
電圧変換回路は、第一のダイオードが並列接続された第一のスイッチ素子、第二のダイオードが並列接続された第二のスイッチ素子、第三のダイオードが並列接続された第三のスイッチ素子、第四のダイオードが並列接続された第四のスイッチ素子、トランスを有する。
【００１０】
第一のスイッチ回路は、第五のダイオードが並列接続された第五のスイッチ素子、第六のダイオードが並列接続された第六のスイッチ素子を有する。
第二のスイッチ回路は、第七のダイオードが並列接続された第七のスイッチ素子、第八のダイオードが並列接続された第八のスイッチ素子を有する。
【００１１】
フィルタ回路は、第一のコイル、第二のコイル、第二のコンデンサを有する。
第一のスイッチ素子のコレクタと第二のスイッチ素子のコレクタは、直流交流変換装置の一方の入力端子と第一のコンデンサの一方の端子と接続され、第一のスイッチ素子のエミッタは、第三のスイッチ素子のコレクタとトランスの一次コイルの一方の端子と接続され、第二のスイッチ素子のエミッタは、第四のスイッチ素子のコレクタとトランスの一次コイルの他方の端子と接続され、第三のスイッチ素子のエミッタと第四のスイッチ素子のエミッタは、直流交流変換装置の他方の入力端子と第一のコンデンサの他方の端子と接続され、
第五のスイッチ素子のコレクタは、トランスの二次コイルの一方の端子と接続され、第五のスイッチ素子のエミッタは、第七のスイッチ素子のコレクタとフィルタ回路の第一のコイルの一方の端子と接続され、第六のスイッチ素子のコレクタは、トランスの二次コイルの他方の端子と接続され、第六のスイッチ素子のエミッタは、第八のスイッチ素子のコレクタとフィルタ回路の第二のコイルの一方の端子と接続され、第七のスイッチ素子のエミッタと第八のスイッチ素子のエミッタとはグランドに接続され、第一のコイルの他方の端子は、直流交流変換装置の一方の出力端子と第二のコンデンサの一方の端子と接続され、第二のコイルの他方の端子は、直流交流変換装置の他方の出力端子と第二のコンデンサの他方の端子と接続される。
【発明の効果】
【００１２】
出力電圧と出力電流の位相がずれている状況でも、安定した出力電力を出力できる。
【図面の簡単な説明】
【００１３】
【図１】直流交流変換装置の一実施例を示す図である。
【図２】目標出力電圧値及び基準出力電圧値とサンプリング時刻との関係を示す図である。
【図３】出力電圧と出力電流の関係を示す図である。
【図４】直流交流変換装置の動作の一実施例を示す図である。
【図５】直流交流変換装置の一実施例を示す図である。
【発明を実施するための形態】
【００１４】
以下図面に基づいて実施形態について詳細を説明する。
図１は、直流交流変換装置１の一実施例を示す図である。直流交流変換装置１は、変換部（電圧変換回路２、スイッチ回路３（第一のスイッチ回路）、スイッチ回路４（第二のスイッチ回路）、フィルタ回路５）、制御部６、電流計測部７、電圧計測部８を有し、直流出力電力源から入力端子Ｖｉｎ１、Ｖｉｎ２に入力される直流電圧を交流電圧に変換し、変換した交流電圧を出力端子Ｖｏｕｔ１、Ｖｏｕｔ２から出力する。直流交流変換装置１は、例えば、直流電圧からＡＣ１００［Ｖ］：周波数５０［Ｈｚ］やＡＣ１００［Ｖ］：６０［Ｈｚ］などの交流電圧を生成して出力する。また、直流交流変換装置１が、例えば、ＰＨＶ：Plug-in Hybrid Vehicle、ＥＶ：Electric Vehicle、電動フォークリフトなどの車両に搭載される場合、入力端子Ｖｉｎ１、Ｖｉｎ２には直流出力電力源（例えば、ニッケル水素電池やリチウムイオン電池などの二次電池又は蓄電素子を有する電池パックなど）が接続され、出力端子Ｖｏｕｔ１、Ｖｏｕｔ２には機器（例えば、掃除機など）が接続される。
【００１５】
変換部について説明する。
変換部は、電圧変換回路２、スイッチ回路３、スイッチ回路４、フィルタ回路５を用いて、直流電圧を交流電圧に変換する回路である。電圧変換回路２は、変換回路（スイッチＳＷ１、スイッチＳＷ２）、トランスＴ１を有する。変換回路は、例えば、プッシュプル回路又はフルブリッジ回路又はハーフブリッジ回路のいずれかの回路などが考えられる。
【００１６】
図１の変換回路では、プッシュプル回路の一例を示し、スイッチＳＷ１の一方の端子が、トランスＴ１の一次コイルの一方の端子と接続される。トランスＴ１の一次コイルの中間端子は、直流交流変換装置１の入力端子Ｖｉｎ１とコンデンサＣ１の一方の端子と接続される。スイッチＳＷ２の一方の端子は、トランスＴ１の一次コイルの他方の端子と接続される。スイッチＳＷ１の他方の端子とスイッチＳＷ２の他方の端子は、直流交流変換装置１の入力端子Ｖｉｎ２とコンデンサＣ１の他方の端子と接続される。なお、スイッチＳＷ１、スイッチＳＷ２は、例えば、逆並列ダイオードが接続されたＭＯＳＦＥＴ（Metal Oxide Semiconductor Field Effect Transistor）やＩＧＢＴ（Insulated Gate Bipolar Transistor）などのスイッチ素子を用いる。
【００１７】
スイッチ回路３はスイッチＳＷ３を有する。スイッチ回路４はスイッチＳＷ４を有する。フィルタ回路５は、コイルＬ１、コイルＬ２、コンデンサＣ２を有する。スイッチＳＷ３の一方の端子は、電圧変換回路２のトランスＴ１の二次コイルの一方の端子と接続される。スイッチＳＷ３の他方の端子は、スイッチＳＷ４の一方の端子とフィルタ回路５のコイルＬ１の一方の端子と接続される。スイッチＳＷ４の他方の端子は、電圧変換回路２のトランスＴ１の二次コイルの他方の端子とフィルタ回路５のコイルＬ２の一方の端子と接続される。フィルタ回路５のコイルＬ１の他方の端子は、フィルタ回路５のコンデンサＣ２の一方の端子と直流交流変換装置１の出力端子Ｖｏｕｔ１と接続される。フィルタ回路５のコイルＬ２の他方の端子は、フィルタ回路５のコンデンサＣ２の他方の端子と直流交流変換装置１の出力端子Ｖｏｕｔ２と接続される。なお、スイッチＳＷ３、スイッチＳＷ４は、例えば、逆並列ダイオードが接続されたＭＯＳＦＥＴやＩＧＢＴなどのスイッチ素子を用いる。また、スイッチＳＷ３は、図１では、電圧変換回路２のトランスＴ１の一方の端子側に接続されているが、スイッチＳＷ３は電圧変換回路２のトランスＴ１の他方の端子側に接続してもよい。また、スイッチＳＷ３と別のスイッチを、電圧変換回路２のトランスＴ１の他方の端子側に更に接続してもよい。
【００１８】
制御部６は、交流電圧（正弦波電圧）を生成するために、目標出力電圧値Ｖｔを用いて、スイッチＳＷ１、ＳＷ２、ＳＷ３、ＳＷ４それぞれのパルス幅変調制御で用いるデューティを算出し、スイッチＳＷ１、ＳＷ２、ＳＷ３、ＳＷ４それぞれに対して算出したデューティを用いてパルス幅変調制御を実行し、直流電圧を交流電圧に変換する。なお、制御部６は、例えば、ＣＰＵ（Central Processing Unit）、マルチコアＣＰＵ、プログラマブルなデバイス（ＦＰＧＡ（Field Programmable Gate Array）やＰＬＤ（Programmable Logic Device）など）を用いて構成された回路が考えられる。また、制御部６は、内部又は外部に記憶部を備え、記憶部に記憶されている直流交流変換装置１の各部を制御するプログラムを読み出して実行する。
【００１９】
電流計測部７は、直流交流変換装置１から出力される交流の出力電流を計測し、計測した出力電流を示す出力電流値Ｉｍを含む信号又は情報を制御部６に送信する。電流計測部７は、例えば、シャント抵抗やホール素子などが考えられる。
【００２０】
電圧計測部８は、直流交流変換装置１から出力される交流の出力電圧を計測し、計測した出力電圧を示す出力電圧値Ｖｍを含む信号又は情報を制御部６に送信する。電圧計測部８は、例えば、電圧計測ＩＣ（Integrated Circuit）などが考えられる。
【００２１】
制御部６について説明する。
図２は、目標出力電圧値Ｖｔ及び基準出力電圧値Ｖｔｈとサンプリング時刻ｔとの関係を示す図である。目標出力電圧値Ｖｔは、直流交流変換装置１から交流電圧を出力するために用いる指令値である。基準出力電圧値Ｖｔｈは、目標出力電圧値Ｖｔを生成する際に用いる、基準となる値である。
【００２２】
図２の正弦波２１は、直流交流変換装置１から出力される交流電圧の基準出力電圧値Ｖｔｈを示し、ここでは一周期Ｔのみを示している。また、図２の正弦波２２は、目標出力電圧値Ｖｔを示し、ここでは一周期Ｔのみを示している。
【００２３】
図２の所定時間Ｔｔｈは、制御部６が電力積算を行う時間を示している。図２の例では、所定時間Ｔｔｈは半周期Ｔ／２としているが、一周期Ｔ、複数周期ｍ×Ｔ、複数半周期ｍ×Ｔ／２などでもよい。また、所定時間Ｔｔｈは、一周期Ｔ、半周期Ｔ／２、複数周期ｍ×Ｔ、複数半周期ｍ×Ｔ／２に限定されない。なお、ｍは正の整数である。図２のサンプリング時刻ｔ（ｔ０、ｔ１、ｔ２、ｔ３・・・・・・ｔｎ）は、正弦波２１をサンプリング周期Ｔｓでサンプリングした時刻を示している。
【００２４】
図２の基準出力電圧値Ｖｔｈ０、Ｖｔｈ１、Ｖｔｈ２、Ｖｔｈ３・・・・・・Ｖｔｈｎは、直流交流変換装置１から出力する出力電圧の基準値を示している。また、サンプリング時刻ｔと基準出力電圧値Ｖｔｈとは関連付けられ、基準出力電圧情報として記憶部に記憶されている。基準出力電圧情報は、例えば、サンプリング時刻ｔ（ｔ０、ｔ１、ｔ２、ｔ３・・・・・・ｔｎ）と、基準出力電圧値Ｖｔｈ（サンプリング時刻ｔ０に対応するＶｔｈ０、サンプリング時刻ｔ１に対応するＶｔｈ１、サンプリング時刻ｔ２に対応するＶｔｈ２、サンプリング時刻ｔ３に対応するＶｔｈ３・・・・・・サンプリング時刻ｔｎに対応するＶｔｈｎ）とが関連付けられたテーブルなどである。なお、ｎは０と正の整数である。
【００２５】
なお、図２の例では、半周期Ｔ／２分の基準出力電圧値Ｖｔｈを記憶部に記憶する例を示したが、一周期Ｔ分又は１／４周期分を記憶部に記憶してもよい。また、計算により基準出力電圧値Ｖｔｈを求めてもよい。
【００２６】
制御部６は、所定時間Ｔｔｈにおいて、サンプリング周期Ｔｓごとに、電流計測部７が計測した直流交流変換装置１から出力される交流の出力電流を示す出力電流値Ｉｍと、電圧計測部８が計測した直流交流変換装置１から出力される交流の出力電圧を示す出力電圧値Ｖｍとを取得する。なお、出力電流値Ｉｍは、電流計測部７が電圧変換回路２のトランスＴ１の一次側に設けられている場合には、トランスＴ１の巻線比などを考慮し、トランスＴ１に流れる電流から出力電流値Ｉｍを推定してもよい。
【００２７】
続いて、制御部６は、所定時間Ｔｔｈにおいて、サンプリング周期Ｔｓごとに、出力電流値Ｉｍと出力電圧値Ｖｍとを用いて出力電力Ｐ（＝Ｉｍ×Ｖｍ）を算出し、出力電力Ｐを用いて所定時間Ｔｔｈにおける電力積算値Ｐａｃ（＝ΣＰ）を算出する。
【００２８】
続いて、制御部６は、所定時間Ｔｔｈに算出した電力積算値Ｐａｃが所定電力値Ｐｔｈを超えた場合、目標出力電圧値Ｖｔを下げて出力電圧を低下させる。言い換えると、制御部６は、所定時間Ｔｔｈに算出した電力積算値Ｐａｃが所定電力値Ｐｔｈを超えた場合、目標出力電圧値Ｖｔを下げる。
【００２９】
目標出力電圧値Ｖｔを下げる方法として、例えば、目標出力電力値Ｐｔと電力積算値Ｐａｃとの比率Ｐｒ（＝Ｐｔ／Ｐａｃ）の平方根である係数Ｖｒ（０＜Ｖｒ＜１）を求め、現在のサンプリング時刻に対応した基準出力電圧値Ｖｔｈと係数Ｖｒとを乗算した目標出力電圧値Ｖｔ（＝Ｖｔｈ×Ｖｒ）を採用する方法が考えられる。なお、ここで目標電力出力値Ｐｔは所定電力値Ｐｔｈと等しくしても良いし、実験的に定めても良い。
【００３０】
また、制御部６は、所定時間Ｔｔｈに算出した電力積算値Ｐａｃが所定電力値Ｐｔｈを超えていない場合、目標出力電圧値Ｖｔを下げない。すなわち、係数Ｖｒを１に設定する。
【００３１】
なお、所定電力値Ｐｔｈは、直流交流変換装置１が所定時間Ｔｔｈに出力できる電力積算値で、例えば、スイッチＳＷ１、ＳＷ２、ＳＷ３、ＳＷ４や、その他の部品の定格値に基づいて決められる。また、所定電力値Ｐｔｈは記憶部に記憶されている。
【００３２】
また、制御部６は、電力積算値Ｐａｃに応じて、目標出力電圧値Ｖｔを下げてもよい。例えば、電力積算値Ｐａｃごとに関連付けられた電力積算値−目標出力電圧情報を記憶部に記憶し、電力積算値Ｐａｃを用いて、電力積算値−目標出力電圧情報を参照し、電力積算値Ｐａｃに対応する目標出力電圧情報を選択し、目標出力電圧値Ｖｔを下げる。電力積算値−目標出力電圧情報は、例えば、電力積算値Ｐａｃ（電力積算値範囲Ｐａｃ１、Ｐａｃ２、Ｐａｃ３・・・・・・）と、電力積算値−目標出力電圧情報（電力積算値範囲Ｐａｃ１に対応する目標出力電圧情報（テーブル１）、電力積算値範囲Ｐａｃ２に対応する目標出力電圧情報（テーブル２）、電力積算値範囲Ｐａｃ３に対応する目標出力電圧情報（テーブル３）・・・・・・）とを関連付けた情報である。このようなテーブルを用いることで、係数Ｖｒの計算を省くことができるため、制御部６の処理負荷を低減することができる。
【００３３】
効果について説明する。
図３は、出力電流と出力電圧の関係を示す図である。図３（Ａ）は、直流交流変換装置１に機器が接続され、出力電圧と出力電流の位相がずれている状況を示している。図３の波形３１は、基準出力電圧値Ｖｔｈを用いて生成された直流交流変換装置１から出力される出力電圧を示している。波形３１は、例えば、ＡＣ１００［Ｖ］：周波数５０［Ｈｚ］やＡＣ１００［Ｖ］：６０［Ｈｚ］などの出力電圧である。図３の波形３２は、直流交流変換装置１に掃除機などの機器が接続され、出力電圧から位相がずれた出力電流を示している。図３の波形３２の出力電流は、波形３１の出力電圧からＴ／４位相がずれている。
【００３４】
図３（Ｂ）は、直流交流変換装置１に機器が接続され、出力電圧と出力電流の位相がずれている状況で、瞬間的に出力電流（波形３３）のピーク値が所定出力電流値Ｉｔｈ１、Ｉｔｈ２を超えた場合に、スイッチＳＷ１、ＳＷ２、ＳＷ３、ＳＷ４や、その他の部品に破損の虞があるとして、直ちに目標出力電圧値Ｖｔを下げて出力電圧を下げる制御を示している（図３（Ｂ）は比較例を示している）。このような過電流制御をした場合、出力電圧を下げたことにより（波形３４）、出力電流も下がり（波形３５）、直流交流変換装置１から機器に出力される出力電力が不足し、機器の動作が不安定になる。
【００３５】
そこで、図３（Ｂ）で説明したように、瞬間的に出力電流のピーク値が所定出力電流値Ｉｔｈ１、Ｉｔｈ２を超えた場合に、直ちに目標出力電圧値Ｖｔを下げて出力電圧を下げる過電流制御をするのではなく、図３（Ｃ）で説明するように、瞬間的に出力電流のピーク値が所定出力電流値Ｉｔｈ１、Ｉｔｈ２を超えた場合でも、スイッチＳＷ１、ＳＷ２、ＳＷ３、ＳＷ４や、その他の部品に破損する虞がなければ、直ちに目標出力電圧値Ｖｔを下げず（過電流制御をせず）、機器を安定に動作させる。
【００３６】
図３（Ｃ）は、直流交流変換装置１に機器が接続され、出力電圧と出力電流の位相がずれている状況で、電力積算値Ｐａｃが所定電力値Ｐｔｈを超えたか否かを判定し、（１）電力積算値Ｐａｃが所定電力値Ｐｔｈ以下の場合、目標出力電圧値Ｖｔを下げない制御を示し、（２）電力積算値Ｐａｃが所定電力値Ｐｔｈより大きい場合、電力積算値Ｐａｃが所定電力値Ｐｔｈより大きくなった場合、目標出力電圧値Ｖｔを下げる制御を示している。（２）の制御では、例えば、図３（Ｃ）に示すように出力電流が大きくなり（波形３６）、電力積算値Ｐａｃが所定電力値Ｐｔｈより大きくなった場合、目標出力電圧値Ｖｔを下げる制御をする。なお、波形３６が示す出力電流は波形３３が示す出力電流より大きい。
【００３７】
（１）の制御をした場合、係数Ｖｒは１に設定され、目標出力電圧値Ｖｔは基準出力電圧Ｖｔｈと等しくなり、下がらない。すなわち、瞬間的に出力電流のピーク値が所定出力電流値Ｉｔｈ１、Ｉｔｈ２を超えた場合でも、電力積算値Ｐａｃが所定電力値Ｐｔｈ以下であれば、目標出力電圧値Ｖｔを下げないため、目標出力電圧値Ｖｔは基準出力電圧値Ｖｔｈのままであるので、機器を安定に動作させることができる。
【００３８】
（２）の制御をした場合、係数Ｖｒは０より大きく１より小さい値に設定され、目標出力電圧値Ｖｔを下げるので、次の周期において、出力電圧が下がり（波形３７）、出力電流も下がって（波形３８）、回路を保護できる。
【００３９】
このように（１）によれば、単に電流値基準で過電流保護をかけるのではなく、電力基準で過電流保護をかけるので、電力積算値Ｐａｃが所定電力値Ｐｔｈを超えていない場合、目標出力電圧値Ｖｔを下げないことで、機器を安定に動作させることができる。また、所定電力値Ｐｔｈを、スイッチＳＷ１、ＳＷ２、ＳＷ３、ＳＷ４や、その他の部品に破損する虞がないと推定できる値に設定しているので、回路保護もできている。
【００４０】
また、（２）によれば、電力積算値Ｐａｃが所定電力値Ｐｔｈを超えた場合、係数Ｖｒを０より大きく１より小さい値に設定し、目標出力電圧値Ｖｔを下げることで、回路保護ができる。
【００４１】
直流交流変換装置１の動作について説明する。
図４は、直流交流変換装置１の動作の一実施例を示す図である。ステップＳ１において、制御部６は、所定時間Ｔｔｈにおいて、サンプリング周期Ｔｓごとに、電流計測部７が計測した直流交流変換装置１から出力される交流の出力電流を示す出力電流値Ｉｍと、電圧計測部８が計測した直流交流変換装置１から出力される交流の出力電圧を示す出力電圧値Ｖｍとを取得する。
【００４２】
ステップＳ２において、制御部６は、ステップＳ１で取得した出力電流値Ｉｍと出力電圧値Ｖｍとを用いて、出力電力Ｐ（＝Ｉｍ×Ｖｍ）を算出する。
ステップＳ３において、制御部６は、ステップＳ２で取得した出力電力Ｐを用いて、所定時間Ｔｔｈにおける電力積算値Ｐａｃ（＝ΣＰ）を算出する。
【００４３】
ステップＳ４において、制御部６は、電力積算値Ｐａｃが所定電力値Ｐｔｈより大きい場合（Ｐａｃ＞Ｐｔｈ）にはステップＳ５に移行し、電力積算値Ｐａｃが所定電力値Ｐｔｈ以下の場合（Ｐａｃ≦Ｐｔｈ）にはステップＳ６に移行する。
【００４４】
ステップＳ５において、制御部６は、係数Ｖｒを求める。係数Ｖｒは、例えば、目標出力電力値Ｐｔと電力積算値Ｐａｃとの比率Ｐｒ（＝Ｐｔ／Ｐａｃ）の平方根とすることが考えられ、０＜Ｖｒ＜１である。
【００４５】
ステップＳ６において、制御部６は、係数Ｖｒを１にする。
ステップＳ７において、制御部６は、係数Ｖｒと基準出力電圧値Ｖｔｈとを乗算して目標出力電圧値Ｖｔ（＝Ｖｔｈ×Ｖｒ）を算出する。
【００４６】
ステップＳ８において、制御部６は、ステップＳ７で算出した目標出力電圧値Ｖｔを用いて、スイッチＳＷ１、ＳＷ２、ＳＷ３、ＳＷ４それぞれを制御するためのデューティを算出する。
【００４７】
このように、電力積算値Ｐａｃが所定電力値Ｐｔｈを超えていない場合、目標出力電圧値Ｖｔを下げないことで、機器を安定に動作させることができる。また、所定電力値Ｐｔｈを、スイッチＳＷ１、ＳＷ２、ＳＷ３、ＳＷ４や、その他の部品に破損する虞がないと推定できる値に設定しているので、回路保護もできている。また、電力積算値Ｐａｃが所定電力値Ｐｔｈを超えた場合、係数Ｖｒを０より大きく１より小さい値に設定し、目標出力電圧値Ｖｔを下げることで、回路保護ができる。
【００４８】
なお、変換部の構成は、図５に示すようにしてもよい。図５は、直流交流変換装置の一実施例を示す図である。図２の電圧変換回路２を図５の電圧変換回路２にしてもよい。すなわち、ダイオードＤ１（第一のダイオード）が並列接続されたスイッチ素子Ｑ１（第一のスイッチ素子）、ダイオードＤ２（第二のダイオード）が並列接続されたスイッチ素子Ｑ２（第二のスイッチ素子）、ダイオードＤ３（第三のダイオード）が並列接続されたスイッチ素子Ｑ３（第三のスイッチ素子）、ダイオードＤ４（第四のダイオード）が並列接続されたスイッチ素子Ｑ４（第四のスイッチ素子）、トランスＴ１を有する。スイッチ素子Ｑ１のコレクタとスイッチ素子Ｑ２のコレクタは、直流交流変換装置１の入力端子Ｖｉｎ１とコンデンサＣ１（第一のコンデンサ）の一方の端子と接続される。スイッチ素子Ｑ１のエミッタは、スイッチ素子Ｑ３のコレクタとトランスＴ１の一次コイルの一方の端子と接続される。スイッチ素子Ｑ２のエミッタは、スイッチ素子Ｑ４のコレクタとトランスＴ１の一次コイルの他方の端子と接続される。スイッチ素子Ｑ３のエミッタとスイッチ素子Ｑ４のエミッタは、直流交流変換装置１の入力端子Ｖｉｎ２とコンデンサＣ１の他方の端子と接続される。
【００４９】
図２のスイッチ回路３を図５のスイッチ回路３（第一のスイッチ回路）にしてもよい。また、図２のスイッチ回路４を図５のスイッチ回路４（第二のスイッチ回路）にしてもよい。すなわち、ダイオードＤ５（第五のダイオード）が並列接続されたスイッチ素子Ｑ５（第五のスイッチ素子）のコレクタは、電圧変換回路２のトランスＴ１の二次コイルの一方の端子と接続される。スイッチ素子Ｑ５のエミッタは、ダイオードＤ７（第七のダイオード）が並列接続されたスイッチ素子Ｑ７（第七のスイッチ素子）のコレクタとフィルタ回路５のコイルＬ１（第一のコイル）の一方の端子と接続される。ダイオードＤ６（第六のダイオード）が並列接続されたスイッチ素子Ｑ６（第六のスイッチ素子）のコレクタは、電圧変換回路２のトランスＴ１の二次コイルの他方の端子と接続される。スイッチ素子Ｑ６のエミッタは、ダイオードＤ８（第八のダイオード）が並列接続されたスイッチ素子Ｑ８（第八のスイッチ素子）のコレクタとフィルタ回路５のコイルＬ２（第二のコイル）の一方の端子と接続される。スイッチ素子Ｑ７のエミッタとスイッチ素子Ｑ８のエミッタとはグランドに接続される。コイルＬ１の他方の端子は、直流交流変換装置１の一方の出力端子Ｖｏｕｔ１とコンデンサＣ２（第二のコンデンサ）の一方の端子と接続され、コイルＬ２の他方の端子は、直流交流変換装置１の他方の出力端子Ｖｏｕｔ２とコンデンサＣ２の他方の端子と接続される。
【００５０】
また、スイッチ素子Ｑ１、Ｑ２、Ｑ３、Ｑ４、Ｑ５、Ｑ６、Ｑ７、Ｑ８のゲートそれぞれは、制御部６に接続される。制御部６は、交流電圧（正弦波電圧）を生成するために、目標出力電圧値Ｖｔを用いて、スイッチ素子Ｑ１、Ｑ２、Ｑ３、Ｑ４、Ｑ５、Ｑ６、Ｑ７、Ｑ８それぞれのパルス幅変調制御で用いるデューティを算出し、スイッチ素子Ｑ１、Ｑ２、Ｑ３、Ｑ４、Ｑ５、Ｑ６、Ｑ７、Ｑ８それぞれに対して算出したデューティを用いてパルス幅変調制御を実行し、直流電圧を交流電圧に変換する。
【００５１】
また、本発明は、以上の実施の形態に限定されるものでなく、本発明の要旨を逸脱しない範囲内で種々の改良、変更が可能である。
【符号の説明】
【００５２】
１  直流交流変換装置
２  電圧変換回路
３  スイッチ回路
４  スイッチ回路
５  フィルタ回路
６  制御部
７  電流計測部
８  電圧計測部
Ｃ１、Ｃ２  コンデンサ
Ｄ１、Ｄ２、Ｄ３、Ｄ４、Ｄ５、Ｄ６、Ｄ７、Ｄ８  ダイオード
Ｌ１、Ｌ２  コイル
Ｑ１、Ｑ２、Ｑ３、Ｑ４、Ｑ５、Ｑ６、Ｑ７、Ｑ８  スイッチ素子
ＳＷ１、ＳＷ２、ＳＷ３、ＳＷ４  スイッチ
Ｔ１  トランス
【図１】
2018182826.tif 000003
【図２】
2018182826.tif 000004
【図３】
2018182826.tif 000005
【図４】
2018182826.tif 000006
【図５】
2018182826.tif 000007